(57)【要約】【課題】反転現象なしで副画像を表示することができる液晶表示装置及びその駆動方法を提供する。【解決手段】互いに反対側に表示を行う第１表示領域と第２表示領域を備えた液晶表示板組立体と、外部からの画像データを行列形態に記憶するメモリとを有し、前記メモリは、前記画像データのうちの前記第１表示領域に表示されるデータを記憶する第１領域と、前記第２表示領域に表示されるデータを記憶する第２領域とを含み、前記第１領域に記憶されるデータは、一つの行単位で最も後で入力されたデータが最も先に出力され、前記第２領域に記憶されるデータは、最も先に入力されたデータが最も先に出力される。このような方式で、一つの表示板部に形成される主表示領域と副表示領域のうちの特に副表示領域に表示される画像が、反転形態でなく元来の形態に表示されるようにすることができる。【選択図】      図６
2007164180.tif 000002
【特許請求の範囲】
【請求項１】
互いに反対側に表示を行う第１表示領域と第２表示領域を備えた液晶表示板組立体と、
外部からの画像データを行列形態に記憶するメモリとを有し、
前記メモリは、前記画像データのうちの前記第１表示領域に表示されるデータを記憶する第１領域と、前記第２表示領域に表示されるデータを記憶する第２領域とを含み、
前記第１領域に記憶されるデータは、一つの行単位で最も後で入力されたデータが最も先に出力され、前記第２領域に記憶されるデータは、最も先に入力されたデータが最も先に出力されることを特徴とする液晶表示装置。
【請求項２】
前記液晶表示板組立体は、ゲート信号を伝達する複数のゲート線をさらに含むことを特徴とする請求項１に記載の液晶表示装置。
【請求項３】
前記ゲート線の一部は前記第１表示領域に位置し、残りは前記第２表示領域に位置することを特徴とする請求項２に記載の液晶表示装置。
【請求項４】
前記ゲート信号は、前記第１表示領域に位置したゲート線に先に印加されることを特徴とする請求項３に記載の液晶表示装置。
【請求項５】
前記第１表示領域の表示方向と同じ方向に出射し、第１表示領域の後ろに配置され光を提供するバックライト部をさらに有することを特徴とする請求項１に記載の液晶表示装置。
【請求項６】
前記液晶表示板組立体は、第１表示板と第２表示板とその間に介在する液晶層とを含み、
前記第１表示板は、第１基板と、該第１基板上に形成される配線層と、該配線層上に形成される画素電極とを含み、
前記第２表示板は、第２基板と、該第２基板上に形成される反射層及び遮光部材と、前記反射層の上または前記第２基板上に形成される色フィルタと、該色フィルタ上に形成される保護膜と、該保護膜と保護膜で覆われない前記色フィルタ上に形成される共通電極とを含むことを特徴とする請求項１に記載の液晶表示装置。
【請求項７】
前記反射層は前記第１表示領域に形成されることを特徴とする請求項６に記載の液晶表示装置。
【請求項８】
前記第１表示領域の液晶層の層厚と、前記第２表示領域の液晶層の層厚とが異なることを特徴とする請求項６に記載の液晶表示装置。
【請求項９】
前記第１及び第２表示領域を駆動する駆動チップをさらに含むことを特徴とする請求項６に記載の液晶表示装置。
【請求項１０】
前記駆動チップは前記ゲート駆動部及び前記メモリを含むことを特徴とする請求項９に記載の液晶表示装置。
【請求項１１】
互いに反対側に表示を行う第１表示領域と第２表示領域を備えた液晶表示板組立体と、外部からの画像データを行列形態に記憶するメモリとを有する液晶表示装置の駆動方法であって、
前記メモリは、前記画像データのうちの第１表示領域に表示されるデータを記憶する第１領域と、前記第２表示領域に表示されるデータを記憶する第２領域とを含み、前記メモリに前記画像データを書き込む段階と、
前記第１領域に記憶されたデータのうちの一つの行単位で、最も後で入力されたデータを最も先に出力する段階と、
前記第２領域に記憶されたデータのうちの最も先に入力されたデータを最も先に出力する段階とを有することを特徴とする液晶表示装置の駆動方法。
【請求項１２】
前記液晶表示板組立体は、ゲート信号を伝達する複数のゲート線をさらに含むことを特徴とする請求項１１に記載の液晶表示装置の駆動方法。
【請求項１３】
前記ゲート線の一部は前記第１表示領域に位置し、残りは前記第２表示領域に位置することを特徴とする請求項１２に記載の液晶表示装置の駆動方法。
【請求項１４】
前記ゲート信号は、前記第１表示領域に位置したゲート線に先に印加されることを特徴とする請求項１３に記載の液晶表示装置の駆動方法。
【請求項１５】
前記第１表示領域の表示方向と同じ方向に出射し、第１表示領域の後ろに配置され光を提供するバックライト部をさらに有することを特徴とする請求項１１に記載の液晶表示装置の駆動方法。
【請求項１６】
前記液晶表示板組立体は、第１表示板と第２表示板とその間に介在する液晶層とを含み、
前記第１表示板は、第１基板と、該第１基板上に形成される配線層と、該配線層上に形成される画素電極とを含み、
前記第２表示板は、第２基板と、該第２基板上に形成される反射層及び遮光部材と、前記反射層の上または前記第２基板上に形成される色フィルタと、該色フィルタ上に形成される保護膜と、該保護膜と保護膜で覆われない前記色フィルタ上に形成される共通電極とを含むことを特徴とする請求項１１に記載の液晶表示装置の駆動方法。
【請求項１７】
前記反射層は前記第１表示領域に形成されることを特徴とする請求項１６に記載の液晶表示装置の駆動方法。
【請求項１８】
前記第１表示領域の液晶層の層厚と前記第２表示領域の液晶層の層厚とが異なることを特徴とする請求項１６に記載の液晶表示装置の駆動方法。
【請求項１９】
前記第１及び第２表示領域を駆動する駆動チップをさらに含むことを特徴とする請求項１６に記載の液晶表示装置の駆動方法。
【請求項２０】
前記駆動チップは前記ゲート駆動部及び前記メモリを含むことを特徴とする請求項１９に記載の液晶表示装置の駆動方法。
【発明の詳細な説明】
【技術分野】
【０００１】
本発明は液晶表示装置とその駆動方法に関し、特に、デュアル液晶表示装置とその駆動方法に関するものである。
【背景技術】
【０００２】
一般的な液晶表示装置（ＬＣＤ）は、画素電極及び共通電極が備えられた二つの表示板と、その間に入っている誘電率異方性を有する液晶層とを含む。画素電極は行列形態に配列されており、薄膜トランジスタ（ＴＦＴ）などスイッチング素子に連結されて、一つの行ずつ順にデータ電圧の印加を受ける。共通電極は表示板の全面にかけて形成されており、共通電圧の印加を受ける。画素電極と共通電極及びその間の液晶層は、回路的に見れば液晶キャパシタを成し、液晶キャパシタは、これに連結されたスイッチング素子と共に画素を構成する基本単位となる。
【０００３】
このような液晶表示装置では、二つの電極に電圧を印加して液晶層に電界を生成し、この電界の強さを調節して、液晶層を通過する光の透過率を調節することによって所望の画像を得る。この時、液晶層に一方向の電界が長い時間印加されることによって発生する劣化現象を防止するために、フレーム別に、行別に、または画素別に共通電圧に対するデータ電圧の極性を反転させる。
このような液晶表示装置の中で、特に携帯電話のような中小型表示装置は、外部と内部に各々表示板部を備えたいわゆるデュアル表示装置が活発に開発されている。
【０００４】
このようなデュアル表示装置は、内部に装着される主表示板部、外部に装着される副表示板部、外部からの入力信号を伝達する配線が備えられた駆動可撓性印刷回路基板（ＦＰＣ）、駆動ＦＰＣと主表示板部との間に位置した主ＦＰＣ、主表示板部と副表示板部との間に位置した補助ＦＰＣ、そしてこれらを制御するための統合チップ（ｉｎｔｅｇｒａｔｅｄ  ｃｈｉｐ）を含む。
統合チップは、主表示板部と副表示板部を制御するための信号及び駆動信号を生成し、主に、主表示板部にＣＯＧ（ｃｈｉｐ  ｏｎ  ｇｌａｓｓ）形態に装着されており、駆動ＦＰＣは、外部の装置と液晶表示装置を連結するという意味でインターフェースＦＰＣとも呼ばれる。
【０００５】
一方、このような中小型液晶表示装置は、主表示板部と副表示板部を各々設けることにより、部品の数及び工程が増加する問題が生じ得るが、一つの表示板部に表示領域を別に設けて、部品の数及び工程が増加する問題を解決している。
しかし、一つの表示板部に形成される二つの表示領域のうち、主表示領域は前面で見えるようにし、副表示領域は後面で見えるようにするため、後面の副表示領域に表示される画像（以下、副画像という）と、前面の主表示領域に表示される画像（以下、主画像という）とが鏡対称で引っ繰り返して見える反転現象が生じるという問題がある。
【発明の開示】
【発明が解決しようとする課題】
【０００６】
そこで、本発明は上記従来のデュアル表示装置における問題点に鑑みてなされたものであって、本発明の目的は、反転現象なしで副画像を表示することができる液晶表示装置及びその駆動方法を提供することにある。
【課題を解決するための手段】
【０００７】
上記目的を達成するためになされた本発明による液晶表示装置は、互いに反対側に表示を行う第１表示領域と第２表示領域を備えた液晶表示板組立体と、外部からの画像データを行列形態に記憶するメモリとを有し、前記メモリは、前記画像データのうちの前記第１表示領域に表示されるデータを記憶する第１領域と、前記第２表示領域に表示されるデータを記憶する第２領域とを含み、前記第１領域に記憶されるデータは、一つの行単位で最も後で入力されたデータが最も先に出力され、前記第２領域に記憶されるデータは、最も先に入力されたデータが最も先に出力されることを特徴とする。
【０００８】
この時、前記液晶表示板組立体は、ゲート信号を伝達する複数のゲート線をさらに含むことが好ましく、前記ゲート線の一部は前記第１表示領域に位置し、残りは前記第２表示領域に位置することが好ましい。
また、前記ゲート信号は、前記第１表示領域に位置したゲート線に先に印加されることが好ましい。
前記液晶表示装置は、前記第１表示領域の表示方向と同じ方向に出射し、第１表示領域の後ろに配置され光を提供するバックライト部をさらに有することが好ましい。
また、前記液晶表示板組立体は、第１表示板と第２表示板とその間に介在する液晶層とを含み、前記第１表示板は、第１基板と、該第１基板上に形成される配線層と、該配線層上に形成される画素電極とを含み、前記第２表示板は、第２基板と、該第２基板上に形成される反射層及び遮光部材と、前記反射層の上または前記第２基板上に形成される色フィルタと、該色フィルタ上に形成される保護膜と、該保護膜と保護膜で覆われない前記色フィルタ上に形成される共通電極とを含むことが好ましい。
この時、前記反射層は前記第１表示領域に形成されることが好ましい。
前記第１表示領域の液晶層の層厚と、前記第２表示領域の液晶層の層厚とが異なることが好ましい。
また、前記液晶表示装置は、前記第１及び第２表示領域を駆動する駆動チップをさらに含むことが好ましく、この駆動チップは、前記ゲート駆動部及び前記メモリを含むことが好ましい。
【０００９】
上記目的を達成するためになされた本発明による液晶表示装置の駆動方法は、互いに反対側に表示を行う第１表示領域と第２表示領域を備えた液晶表示板組立体と、外部からの画像データを行列形態に記憶するメモリとを有する液晶表示装置の駆動方法であって、前記メモリは、前記画像データのうちの第１表示領域に表示されるデータを記憶する第１領域と、前記第２表示領域に表示されるデータを記憶する第２領域とを含み、前記メモリに前記画像データを書き込む段階と、前記第１領域に記憶されたデータのうちの一つの行単位で、最も後で入力されたデータを最も先に出力する段階と、前記第２領域に記憶されたデータのうちの最も先に入力されたデータを最も先に出力する段階とを有することを特徴とする。
【００１０】
この時、前記液晶表示板組立体は、ゲート信号を伝達する複数のゲート線をさらに含むことが好ましく、前記ゲート線の一部は前記第１表示領域に位置し、残りは前記第２表示領域に位置することが好ましい。
また、前記ゲート信号は、前記第１表示領域に位置したゲート線に先に印加されることが好ましい。
前記液晶表示装置は、前記第１表示領域の表示方向と同じ方向に出射し、第１表示領域の後ろに配置され光を提供するバックライト部をさらに有することが好ましい。
また、前記液晶表示板組立体は、第１表示板と第２表示板とその間に介在する液晶層とを含み、前記第１表示板は、第１基板と、該第１基板上に形成される配線層と、該配線層上に形成される画素電極とを含み、前記第２表示板は、第２基板と、該第２基板上に形成される反射層及び遮光部材と、前記反射層の上または前記第２基板上に形成される色フィルタと、該色フィルタ上に形成される保護膜と、該保護膜と保護膜で覆われない前記色フィルタ上に形成される共通電極とを含むことが好ましい。
この時、前記反射層は前記第１表示領域に形成されることが好ましい。
前記第１表示領域の液晶層の層厚と、前記第２表示領域の液晶層の層厚とが異なることが好ましい。
また、前記液晶表示装置は、前記第１及び第２表示領域を駆動する駆動チップをさらに含むことが好ましく、この駆動チップは、前記ゲート駆動部及び前記メモリを含むことが好ましい。
【発明の効果】
【００１１】
本発明に係る液晶表示装置及びその駆動方法によれば、メモリの空間を二つの領域に分けて、そのうちの一つを副表示領域用として割り当て、副表示領域用空間では、書き込み方向と読み出し方向を互いに別にして、後面でも元画像が正しく表示されるようにする。
このような方式で、一つの基板上に形成される主表示領域と副表示領域のうちの特に副表示領域３１０Ｓに表示される画像が、反転形態でなく、元来の形態に表示されるようにすることができるという効果がある。
【発明を実施するための最良の形態】
【００１２】
次に、本発明に係る液晶表示装置及びその駆動方法を実施するための最良の形態の具体例を図面を参照しながら説明する。
【００１３】
図面においては、いろいろな層及び領域を明確に表現するために厚さを拡大して示した。明細書全体を通じて類似の部分については同一図面符号を付けた。層、膜、領域、板などの部分が異なる部分の“上にある”とすれば、これは他の部分の直上にある場合のみでなく、その中間に他の部分がある場合も含む。反対に、ある部分が異なる部分の“直上にある”とすれば、中間に他の部分がないことを意味する。
【００１４】
次に、本発明の実施形態による液晶表示装置について、図面を参照して詳細に説明する。
図１は、本発明の一つの実施形態による液晶表示装置のブロック図であり、図２は、本発明の一つの実施形態による液晶表示装置の一つの画素に対する等価回路図であり、図３〜図５は、本発明の一つの実施形態による液晶表示装置の概略図であって、各々、正面図、背面図、及び側面図である。図６は、図３に示した液晶表示装置のＩＶ−ＩＶ’線に沿った断面図であり、図７は、本発明の一つの実施形態による液晶表示装置における光の特性を示す図であり、図８は、図３に示した液晶表示装置でゲート線を簡略に示した図である。
【００１５】
図１に示すように、本発明の一つの実施形態による液晶表示装置は、液晶表示板組立体３００とこれに連結されたゲート駆動部４００、及びデータ駆動部５００、データ駆動部５００に連結された階調電圧生成部８００、そしてこれらを制御する信号制御部６００と、液晶表示板組立体３００に光を提供するバックライト部９００を含む。
液晶表示板組立体３００は、等価回路で見れば、複数の信号線（Ｇ１−Ｇｎ、Ｄ１−Ｄｍ）と、これに連結されており、ほぼ行列形態に配列された複数の画素（ＰＸ）とを含む。また、図２に示した構造で見れば、液晶表示板組立体３００は、互いに対向する下部及び上部表示板１００、２００とその間に介在する液晶層３とを含む。
【００１６】
信号線（Ｇ１−Ｇｎ、Ｄ１−Ｄｍ）は、ゲート信号（“走査信号”とも言う）を伝達する複数のゲート線（Ｇ１−Ｇｎ）と、データ信号を伝達する複数のデータ線（Ｄ１−Ｄｍ）とを含む。ゲート線（Ｇ１−Ｇｎ）はほぼ行方向に延びて互いにほぼ平行をなし、データ線（Ｄ１−Ｄｍ）はほぼ列方向に延びて互いにほぼ平行をなす。
【００１７】
各画素（ＰＸ）、例えば、ｉ番目（ｉ＝１、２、ｎ）ゲート線（Ｇｉ）とｊ番目（ｊ＝１、２、ｍ）データ線（Ｄｊ）に連結された画素（ＰＸ）は、信号線（ＧｉＤｊ）に連結されたスイッチング素子（Ｑ）と、これに連結された液晶キャパシタ（Ｃｌｃ）、及びストレージキャパシタ（Ｃｓｔ）を含む。ストレージキャパシタ（Ｃｓｔ）は必要に応じて省略することができる。
スイッチング素子（Ｑ）は、下部表示板１００に備えられている薄膜トランジスタなどの三端子素子であって、その制御端子はゲート線（Ｇｉ）に連結されており、入力端子はデータ線（Ｄｊ）に連結されており、出力端子は、液晶キャパシタ（Ｃｌｃ）及びストレージキャパシタ（Ｃｓｔ）に連結されている。
【００１８】
液晶キャパシタ（Ｃｌｃ）は、下部表示板１００の画素電極１９１と上部表示板２００の共通電極２７０を二つの端子とし、二つの電極（１９１、２７０）の間の液晶層３は誘電体として機能する。画素電極１９１はスイッチング素子（Ｑ）に連結され、共通電極２７０は上部表示板２００の全面に形成されており、共通電圧Ｖｃｏｍの印加を受ける。図２とは違って、共通電極２７０が下部表示板１００に備えられる場合もあり、この時には、二つの電極（１９１、２７０）のうちの少なくとも一つが線状または棒状に作られることができる。
【００１９】
液晶キャパシタ（Ｃｌｃ）の補助的な役割を果たすストレージキャパシタ（Ｃｓｔ）は、下部表示板１００に備えられた別個の信号線（図示せず）と画素電極１９１が絶縁体を隔てて重なって構成され、この別個の信号線には、共通電圧Ｖｃｏｍなどの決められた電圧が印加される。しかし、ストレージキャパシタ（Ｃｓｔ）は、画素電極１９１が絶縁体を媒介として真上の前段ゲート線と重なって形成されることもできる。
【００２０】
一方、色表示を実現するためには、各画素（ＰＸ）が基本色のうちの一つを固有に表示したり（空間分割）、各画素（ＰＸ）が時間に伴って交互に基本色を表示するように（時間分割）して、これら基本色の空間的、時間的合計で所望の色相が認識されるようにする。基本色の例としては、赤色、緑色、青色など三原色がある。図２は空間分割の一例であって、各画素（ＰＸ）が画素電極１９１に対応する上部表示板２００の領域に、基本色のうちの一つを示す色フィルタ２３０を備えることを示している。図２とは異なって、色フィルタ２３０は、下部表示板１００の画素電極１９１上のまたは下に形成することもできる。
【００２１】
バックライト部９００は、液晶表示板組立体３００の下部に装着され、複数のランプ（図示せず）を含む光源部９１０を含み、中小型液晶表示装置の場合には、ランプとして発光ダイオード（ＬＥＤ）などが用いられ、ランプが液晶表示板組立体３００の下部周縁に配置されており、導光板（ｌｉｇｈｔ  ｇｕｉｄｅ）が配置されたエッジ型であることができる。
液晶表示板組立体３００の二つの表示板（１００、２００）の外側面には、光源部９１０から発される光を偏光させる偏光板（図示せず）が付着されている。
【００２２】
一方、図３〜図５に示すように、本発明の一つの実施形態による液晶表示装置は、一つの液晶表示板組立体３００に、主表示領域３１０Ｍと副表示領域３１０Ｓが備えられている。二つの表示領域（３１０Ｍ、３１０Ｓ）は、遮光部材２２０を隔てて分けられており、表示領域（３１０Ｍ、３１０Ｓ）の外側にはブラックマトリックス領域３２０Ｍ、３２０Ｓが各々位置する。
主表示領域３１０Ｍ側には統合チップ７００が位置しており、副表示領域３１０Ｓ側にはバックライト部９００が位置しており、バックライト部９００は主表示領域３１０Ｍの後側にのみ配置されている。
【００２３】
図６を参照すると、まず、下部表示板１００には基板１１０が形成されており、その外側には下部偏光板１２が付着されている。
基板１１０上には配線層１２０が形成されている。配線層１２０は、ゲート線（Ｇ１−Ｇｎ）、データ線（Ｄ１−Ｄｍ）、及びスイッチング素子（Ｑ）等が形成されている層である。
配線層１２０上には画素電極１９１が形成されており、ゲート線（Ｇ１−Ｇｎ）またはデータ線（Ｄ１−Ｄｍ）が通過する領域一部で切開されている。
【００２４】
上部表示板２００にもまた基板２１０が形成されており、その外側には上部偏光板２２が付着されている。
基板２１０上には色フィルタ２３０と遮光部材２２０、そして反射層２４０が形成されている。この時、副表示領域３１０Ｓには反射層２４０が先に形成されており、その上に色フィルタ２３０が形成されている。
【００２５】
遮光部材２２０は二つの表示領域（３１０Ｍ、３１０Ｓ）を区分し、バックライト部９００からの光が副表示領域３１０Ｓに漏れることを防止する。
反射層２４０はエンボシング（ｅｍｂｏｓｓｉｎｇ）加工などで突起形態に形成されて、外部からの光を全ての方向に反射させる役割を果たすことにより視認性を高める。
【００２６】
副表示板部３１０Ｓの色フィルタ２３０の上には保護膜１８０が形成されている。
保護膜１８０は、主表示領域３１０Ｍと副表示領域３１０Ｓのセルギャップ（液晶層厚）を異なるようにして、光が移動する距離を合せる役割を果たす。
保護膜１８０と保護膜１８０で覆われない色フィルタ２３０の上には共通電極２７０が形成されている。
【００２７】
この時、図７を参照すると、主表示領域３１０Ｍの後側に位置したバックライト部９００からの光は、主表示領域３１０Ｍを透過して人間の目に入り、副表示領域３１０Ｓに入射される光は、反射層２４０で反射されて人間の目に入る。したがって、主表示領域３１０Ｍは光が透過する透過モードであり、副表示領域３１０Ｓは光が反射される反射モードであって、主表示領域３１０Ｍの表示方向が前側とすれば、副表示領域３１０Ｓの表示方向は後側となり、互いに見える方向が反対である。
【００２８】
一方、反射モードである副表示領域３１０Ｓの前側（主表示領域３１０Ｍの表示方向側）に、バックライト９００と対応するフロントライト（ｆｒｏｎｔ  ｌｉｇｈｔ）（図示せず）を設けて、外部光が不足な場合に使用することもできる。
この時、液晶層３は、透過及び反射モードに合う液晶条件を備えることができ、使用される液晶は、電圧制御複屈折（ＥＣＢ）モードまたは垂直配向（ＶＡ）モードいずれのものでも可能である。
また、偏光板１２、２２は、一つは透過モードであり一つは反射モードであるので、二つの要件を全て充足させることができる半透過偏光板が好ましい。
【００２９】
また、例えば、液晶表示装置が折りたたみ式携帯電話である場合、表示部筐体を開けた場合には主表示領域３１０Ｍのみが動作し、表示部筐体を閉じた場合には副表示領域３１０Ｍのみが動作するようにすることができる。このような動作は、例えば、図８に示すように、ゲート線（Ｇ１−Ｇｎ）の一部は主表示領域３１０Ｍに位置し、残りは副表示領域３１０Ｓに位置するので、表示部筐体を開けた場合には、主表示領域３１０Ｍに位置したゲート線にのみゲート電圧を印加し、閉じた場合には、副表示領域３１０Ｓに位置したゲート線にのみゲート電圧を印加することなどである。
【００３０】
再び図１を参照すれば、階調電圧生成部８００は、画素の透過率に関する二対の複数階調電圧を生成する。二対のうちの一対は共通電圧Ｖｃｏｍに対して正の値を有し、他の一対は負の値を有する。
ゲート駆動部４００は、液晶表示板組立体３００のゲート線（Ｇ１−Ｇｎ）に連結されて、外部からのゲートオン電圧（Ｖｏｎ）とゲートオフ電圧（Ｖｏｆｆ）の組み合わせからなるゲート信号をゲート線（Ｇ１−Ｇｎ）に印加し、通常、複数の集積回路からなる。
【００３１】
データ駆動部５００は、液晶表示板組立体３００のデータ線（Ｄ１−Ｄｍ）に連結されて、階調電圧生成部８００からの階調電圧を選択してデータ信号として画素に印加し、通常、複数の集積回路からなる。
信号制御部６００は、外部からの画像データ（Ｒ、Ｇ、Ｂ）を記憶するメモリ６５０を含み、ゲート駆動部４００及びデータ駆動部５００などの動作を制御する。
統合チップ７００は、ゲート駆動部４００、データ駆動部５００、信号制御部６００、階調電圧生成部８００などを含むことができる。
【００３２】
次に、このような液晶表示装置の動作について詳細に説明する。
信号制御部６００は、外部のグラフィック制御器（図示せず）から入力画像信号（Ｒ、Ｇ、Ｂ）及びその表示を制御する入力制御信号を受信する。入力制御信号の例としては、垂直同期信号Ｖｓｙｎｃと水平同期信号Ｈｓｙｎｃ、メインクロック（ＭＣＬＫ）、データイネーブル信号（ＤＥ）などがある。
【００３３】
信号制御部６００は、入力画像信号（Ｒ、Ｇ、Ｂ）と入力制御信号に基づいて、入力画像信号（Ｒ、Ｇ、Ｂ）を液晶表示板組立体３００の動作条件に合うように適切に処理し、ゲート制御信号（ＣＯＮＴ１）及びデータ制御信号（ＣＯＮＴ２）などを生成した後、ゲート制御信号（ＣＯＮＴ１）をゲート駆動部４００に送り出し、データ制御信号（ＣＯＮＴ２）と処理したデジタル画像信号（ＤＡＴ）をデータ駆動部５００に送り出す。
【００３４】
ゲート制御信号（ＣＯＮＴ１）は、走査開始を指示する走査開始信号（ＳＴＶ）と、ゲートオン電圧（Ｖｏｎ）の出力周期を制御する少なくとも一つのクロック信号とを含む。ゲート制御信号（ＣＯＮＴ１）はまた、ゲートオン電圧（Ｖｏｎ）の持続時間を限定する出力イネーブル信号（ＯＥ）をさらに含むことができる。
【００３５】
データ制御信号（ＣＯＮＴ２）は、一つの行「束」の画素（ＰＸ）に対する画像データの伝送開始を知らせる水平同期開始信号（ＳＴＨ）と、データ線（Ｄ１−Ｄｍ）にデータ信号を印加するようにするロード信号（ＬＯＡＤ）、及びデータクロック信号（ＨＣＬＫ）を含む。データ制御信号（ＣＯＮＴ２）はまた、共通電圧Ｖｃｏｍに対するデータ信号の電圧極性（以下、“共通電圧に対するデータ信号の電圧極性”を略して“データ信号の極性”とする）を反転させる反転信号（ＲＶＳ）をさらに含むことができる。
信号制御部６００からのデータ制御信号（ＣＯＮＴ２）に応じて、データ駆動部５００は、一つの行「束」の画素（ＰＸ）に対するデジタル画像信号（ＤＡＴ）を受信し、各デジタル画像信号（ＤＡＴ）に対応する階調電圧を選択することによってデジタル画像信号（ＤＡＴ）をアナログデータ信号に変換した後、これを当該データ線（Ｄ１−Ｄｍ）に印加する。
【００３６】
ゲート駆動部４００は、信号制御部６００からのゲート制御信号（ＣＯＮＴ１）に応じて、ゲートオン電圧（Ｖｏｎ）をゲート線（Ｇ１−Ｇｎ）に印加して、このゲート線（Ｇ１−Ｇｎ）に連結されたスイッチング素子（Ｑ）を導通させる。そうすると、データ線（Ｄ１−Ｄｍ）に印加されたデータ信号が、導通したスイッチング素子（Ｑ）を通して当該画素（ＰＸ）に印加される。
画素（ＰＸ）に印加されたデータ信号の電圧と共通電圧Ｖｃｏｍの差は、液晶キャパシタ（Ｃｌｃ）の充電電圧、つまり、画素電圧として現れる。液晶分子は画素電圧の大きさによってその配列を異にし、それによって液晶層３を通過する光の偏光が変化する。このような偏光の変化は、表示板組立体３００に付着された偏光子によって光の透過率変化として現れる。
【００３７】
１水平周期［“１Ｈ”とも使い、水平同期信号Ｈｓｙｎｃ及びデータイネーブル信号（ＤＥ）の一周期と同一である］を単位として、このような過程を繰り返すことにより、全てのゲート線（Ｇ１−Ｇｎ）に対して順にゲートオン電圧（Ｖｏｎ）を印加し、全ての画素（ＰＸ）にデータ信号を印加して一つのフレームの画像を表示する。
一つのフレームが終われば、次のフレームが始まり、各画素（ＰＸ）に印加されるデータ信号の極性が直前フレームでの極性と反対になるように、データ駆動部５００に印加される反転信号（ＲＶＳ）の状態が制御される（“フレーム反転”）。この時、一つのフレーム内でも、反転信号（ＲＶＳ）の特性によって一つのデータ線を通して流れるデータ信号の極性が変わったり（例：行反転、点反転）、一つの画素行に印加されるデータ信号の極性も互いに異なることもできる（例：列反転、点反転）。
【００３８】
次に、本発明の実施形態による液晶表示装置の駆動方法について、図９〜図１５と図８を参照して詳細に説明する。
図９は、本発明の一つの実施形態による液晶表示装置で表示方向を示す図であり、図１０は、本発明の一つの実施形態による液晶表示装置のメモリにおける書き込み方向を示す図であり、図１１は、本発明の一つの実施形態による液晶表示装置のメモリにおける読み出し方向を示す図である。図１２は、本発明の一つの実施形態による液晶表示装置に表示される画像を示す図であり、図１３は、図１２に示した画像を液晶表示装置の副表示領域に表示される画像を示した図である。図１４及び図１５は、本発明の他の実施形態による液晶表示装置のメモリにおける書き込み方向及び読み出し方向を示す図である。
【００３９】
図８を参照すると、横方向に延びているゲート線（Ｇ１−Ｇｎ）の一部（Ｇ１−Ｇｋ）は副表示領域３１０Ｓに配置されており、残り（Ｇｋ＋１−Ｇｎ）は主表示領域３１０Ｍに配置されている。統合チップ７００で生成されたゲート電圧（Ｖｏｎ、Ｖｏｆｆ）はゲート電圧線（ＧＳＬ）を通してゲート線（Ｇ１−Ｇｎ）に順に印加されるが、統合チップ７００から遠いゲート線（Ｇ１）から近いゲート線（Ｇｎ）の順でゲート電圧（Ｖｏｎ、Ｖｏｆｆ）が印加される。そのために、図９に示すように、二つの表示領域（３１０Ｍ、３１０Ｓ）には、矢印で示した表示方向（ＤＤ）に画像が表示される。
【００４０】
一方、図１０には、メモリ６５０にデータを書き込む方向（ＷＤ）を示しており、例えばａ、ｂ、ｃ及びｄという文字からなるデータによる画像［以下、元画像という］がメモリ６５０に記憶される形態を示した。
ここで、メモリ６５０は、説明の便宜のために液晶表示板組立体３００の解像度に合うように示したものであって、二つの表示領域（３１０Ｍ、３１０Ｓ）とメモリ６５０の周縁に示した‘００’、‘ＥＦ’、‘０００’、及び‘１３Ｆ’は１６進数を意味し、解像度は２４０×３２０である。
【００４１】
この時、図１１に示すように、メモリ６５０の第１領域６５１と第２領域６５３でデータの読み出し方向（ＲＤ１、ＲＤ２）を互いに別にして読み出す。つまり、第１領域では、データを右上左下の方向に読み取り、第２領域では、書き込みと同一な方向の左上右下の方向に読み出す。
より詳しくは、第１領域６５１では、一つの行を基準に入力されるデータを、後入先出方式で出力し、第２領域６５３では、先入先出方式で出力する。例えば、第１行のデータ（ａ、ｂ、ｃ、ｄ）は、ａ、ｂ、ｃ及びｄの順序でメモリ６５０に入力され、出力は、これと反対のｄ、ｃ、ｂ及びａの順序でメモリ６５０から出力される。
【００４２】
同様に、図１４及び図１５に示すように、第１領域６５１では、読み出し方向（ＲＤ）と書き込み方向（ＷＤ１）が図１０及び図１１に示したものとは反対であるが、結局、後入先出方式で出力されることは同一である。
これにより、主表示領域３１０Ｍに表示される主画像は元画像と同一である反面、副表示領域３１０Ｓに表示される副画像は、仮想線（ＶＬ）を中心に元画像と鏡対称を有する（図１２参照）。しかし、これは前面から見ているために反転形態に表示されるわけであり、ひっくり返して後面から見れば、画像が反転形態でなく、図１３に示すように正しく見える。
【００４３】
一方、本発明による実施形態で、統合チップ７００はゲート駆動部４００を含むものと説明したが、本発明は、ゲート駆動部４００が液晶表示板組立体３００に集積される場合にも適用することができる。
【００４４】
上述のように、メモリ６５０の空間を二つの領域に分けて、そのうちの一つを副表示領域３１０Ｓ用として割り当て、副表示領域３１０Ｓ用空間では、書き込み方向と読み出し方向を互いに別にして、後面でも元画像が正しく表示されるようにする。
このような方式で、一つの基板上に形成される主表示領域３１０Ｍと副表示領域３１０Ｓのうちの特に副表示領域３１０Ｓに表示される画像が、反転形態でなく、元来の形態に表示されるようにすることができる。
【００４５】
尚、本発明は、上述の実施形態に限られるものではない。本発明の技術的範囲から逸脱しない範囲内で多様に変更実施することが可能である。
【図面の簡単な説明】
【００４６】
【図１】本発明の一つの実施形態による液晶表示装置のブロック図である。
【図２】本発明の一つの実施形態による液晶表示装置の一つの画素に対する等価回路図である。
【図３】本発明の一つの実施形態による液晶表示装置の概略正面図である。
【図４】本発明の一つの実施形態による液晶表示装置の概略背面図である。
【図５】本発明の一つの実施形態による液晶表示装置の概略側面図である。
【図６】図３に示した液晶表示装置のＩＶ−ＩＶ’線に沿った断面図である。
【図７】本発明の一つの実施形態による液晶表示装置における光の透過及び反射を示す図である。
【図８】図３に示した液晶表示装置でゲート線を簡略的に示した図である。
【図９】本発明の一つの実施形態による液晶表示装置における表示方向を示す図である。
【図１０】本発明の一つの実施形態による液晶表示装置のメモリにおける書き込み方向を示す図である。
【図１１】本発明の一つの実施形態による液晶表示装置のメモリにおける読み出し方向を示す図である。
【図１２】本発明の一つの実施形態による液晶表示装置に表示される画像を示す図である。
【図１３】図１２に示した画像のうち、液晶表示装置の副表示領域に表示される画像を示した図である。
【図１４】本発明の他の実施形態による液晶表示装置のメモリにおける書き込み方向を示す図である。
【図１５】本発明の他の実施形態による液晶表示装置のメモリにおける読み出し方向を示す図である。
【符号の説明】
【００４７】
３        液晶層
１２、２２    （下部、上部）偏光板
１００      下部表示板
１１０、２１０    基板
１２０      配線層
１８０      保護膜
１９１      画素電極
２００      上部表示板
２２０      遮光部材
２３０      色フィルタ
２４０      反射層
２７０      共通電極
３００      液晶表示板組立体
３１０Ｍ      主表示領域
３１０Ｓ      副表示領域
３２０Ｍ、３２０Ｓ    ブラックマトリックス領域
４００      ゲート駆動部
５００      データ駆動部
６００      信号制御部
６５０      メモリ
７００      統合チップ
８００      階調電圧生成部
９００      バックライト部
９１０      光源部
Ｒ、Ｇ、Ｂ    入力画像データ
ＤＥ        データイネーブル信号
ＭＣＬＫ      メインクロック
Ｈｓｙｎｃ    水平同期信号
Ｖｓｙｎｃ    垂直同期信号
ＣＯＮＴ１    ゲート制御信号
ＣＯＮＴ２    データ制御信号
ＤＡＴ        デジタル画像信号
Ｃｌｃ        液晶キャパシタ
Ｃｓｔ        ストレージキャパシタ
Ｑ          スイッチング素子
【図１】
2007164180.tif 000003
【図２】
2007164180.tif 000004
【図３】
2007164180.tif 000005
【図４】
2007164180.tif 000006
【図５】
2007164180.tif 000007
【図６】
2007164180.tif 000008
【図７】
2007164180.tif 000009
【図８】
2007164180.tif 000010
【図９】
2007164180.tif 000011
【図１０】
2007164180.tif 000012
【図１１】
2007164180.tif 000013
【図１２】
2007164180.tif 000014
【図１３】
2007164180.tif 000015
【図１４】
2007164180.tif 000016
【図１５】
2007164180.tif 000017